(57)【要約】【課題】巻き具合が異なる複数のカールを形成することができるとともに、頭髪を確実に巻きつけることができるヘアカーラを提供する。【解決手段】ヘアカーラ１は、第１のクリップ片１０と、第２のクリップ片１１と、第１のクリップ片１０と第２のクリップ片１１とを連結するシャフト１２と、第１のクリップ片１０に接続される第１のパイプ状部材１５と、第２のクリップ片１１に接続される第２のパイプ状部材１６とを備える。第１のパイプ状部材１５は、第１のクリップ片１１の長手方向に向かって延び、第２のパイプ状部材１６は、第２のクリップ片１１の長手方向に向かって延びる。ヘアカーラ１は、第１のパイプ状部材１５と第２のパイプ状部材１６とが互いに実質的に接触するように、第１のクリップ片１０と第２のクリップ片１１とを互いに近づける方向に付勢するスプリング１８を備える。【選択図】図１
0003195557.tif 000002
【実用新案登録請求の範囲】
【請求項１】
第１のクリップ片と、
第２のクリップ片と、
前記第１のクリップ片と前記第２のクリップ片とを連結するシャフトと、
前記第１のクリップ片に接続され、前記第１のクリップ片の長手方向に向かって延びる第１のパイプ状部材と、
前記第２のクリップ片に接続され、前記第２のクリップ片の長手方向に向かって延びる第２のパイプ状部材と、
前記第１のパイプ状部材と前記第２のパイプ状部材とが互いに実質的に接触するように、前記第１のパイプ状部材と前記第２のパイプ状部材とを互いに近づける方向に付勢する付勢部材と、
を備えることを特徴とするヘアカーラ。
【請求項２】
前記第１のクリップ片は、前記第１のパイプ状部材の内周面のうち前記第２のパイプ状部材に近い側の内周面に接続され、
前記第２のクリップ片は、前記第２のパイプ状部材の内周面のうち前記第１のパイプ状部材に近い側の内周面に接続される、
ことを特徴とする請求項１に記載のヘアカーラ。
【請求項３】
前記第１のパイプ状部材と前記第２のパイプ状部材とが面ファスナで被覆されていることを特徴とする請求項１又は２に記載のヘアカーラ。
【請求項４】
前記第１のパイプ状部材と前記第２のパイプ状部材のうち少なくとも一方が、その長手方向における全長に渡って他方のパイプ状部材と実質的に接触することを特徴とする請求項１から３のいずれか一項に記載のヘアカーラ。
【請求項５】
前記第１のパイプ状部材の長手方向の長さと前記第２のパイプ状部材の長手方向の長さとが実質的に同一であることを特徴とする請求項１から４のいずれか一項に記載のヘアカーラ。
【請求項６】
前記第１のパイプ状部材の長手方向に直交する面での前記第１のパイプ状部材の断面が長軸と前記長軸に直交する短軸とによって規定される楕円であり、
前記第２のパイプ状部材の長手方向に直交する面での前記第２のパイプ状部材の断面が長軸と前記長軸に直交する短軸とによって規定される楕円である、
ことを特徴とする請求項１から５のいずれか一項に記載のヘアカーラ。
【請求項７】
前記第１前記第１のパイプ状部材と前記第２のパイプ状部材とが実質的に接触している状態で、
前記第１のパイプ状部材の前記長軸と前記第２のパイプ状部材の前記長軸とが互いに平行であり、
前記第１のパイプ状部材の前記短軸と前記第２のパイプ状部材の前記短軸とが実質的に同一線上に位置している、
ことを特徴とする請求項６に記載のヘアカーラ。
【請求項８】
前記第１のパイプ状部材の前記短軸の長さと前記第２のパイプ状部材の前記短軸の長さとの和と、前記長軸の長さとが略同一であることを特徴とする請求項７に記載のヘアカーラ。
【請求項９】
前記第１のパイプ状部材の長手方向に直交する面での前記第１のパイプ状部材の断面の外形と、前記第２のパイプ状部材の長手方向に直交する面での前記第２のパイプ状部材の断面の外形とが、実質的に同一であることを特徴とする請求項１から９のいずれか一項に記載のヘアカーラ。
【考案の詳細な説明】
【技術分野】
【０００１】
本考案は、ヘアカーラに係り、特に前髪をカールさせるためのヘアカーラに関するものである。
【背景技術】
【０００２】
女性のポピュラーなヘアアレンジの一つとして、頭髪をカールさせて頭髪に動きを出すヘアカールが挙げられる。このヘアカールを実現するための器具として、１本のパイプ状部材に頭髪を巻きつけることができるように工夫されたヘアカーラが知られている（例えば、特許文献１参照）。しかしながら、このような従来のヘアカーラにおいては、１本のパイプ状部材にのみ頭髪を巻きつけるため、１つのパイプ状部材の外周面に沿った形状のカールしか形成できないという問題があった。
【０００３】
このような問題は、概して、径が異なる複数のヘアカーラを併用すれば巻き具合が異なるカールを形成することができるため解決する。しかしながら、前髪にカールを施す場合、前髪の長さは後ろ髪等の長さに比べて概して極めて短いことにより、ヘアカーラを使用できる部分が限られるため、大きさの異なる複数のヘアカーラを併用することが困難である。したがって、巻き具合が異なる複数のカールを形成することが難しい。
【０００４】
また、従来のヘアカーラは、頭髪を固定することなく単にパイプ状部材の周囲に頭髪を巻いていくだけのものであるため、ヘアカーラを回転させても頭髪がヘアカーラに巻きつかないことがある。
【先行技術文献】
【特許文献】
【０００５】
【特許文献１】特開２００１−１７２２９号公報
【考案の概要】
【考案が解決しようとする課題】
【０００６】
本考案は、このような従来技術の問題点に鑑みてなされたもので、巻き具合が異なる複数のカールを形成することができるとともに、頭髪を確実に巻きつけることができるヘアカーラを提供することを目的とする。
【課題を解決するための手段】
【０００７】
本考案の一実施態様によれば、巻き具合が異なる複数のカールを形成することができるとともに、頭髪を確実に巻きつけることができるヘアカーラが提供される。このヘアカーラは、第１のクリップ片と、第２のクリップ片と、上記第１のクリップ片と上記第２のクリップ片とを連結するシャフトと、上記第１のクリップ片に接続される第１のパイプ状部材と、上記第２のクリップ片に接続される第２のパイプ状部材とを備える。上記第１のパイプ状部材は、上記第１のクリップ片の長手方向に向かって延び、上記第２のパイプ状部材は、上記第２のクリップ片の長手方向に向かって延びる。さらに、このヘアカーラは、上記第１のパイプ状部材と上記第２のパイプ状部材とが互いに実質的に接触するように、上記第１のクリップ片と上記第２のクリップ片とを互いに近づける方向に付勢する付勢部材を備える。
【０００８】
このように、上記第１のパイプ状部材と上記第２のパイプ状部材とが、上記付勢部材による付勢によって開閉可能であり、互いに実質的に接触可能となっているため、両パイプ状部材の間に頭髪を挟み込むことができる。また、両パイプ状部材に頭髪を挟み込んだ上で、２つのパイプ状部材に頭髪を巻きつけていくため、１つのヘアカーラによって、１つのパイプ状部材に巻きつけることによって形成されるカールと、２つのパイプ状部材に跨って形成される、上記カールとは大きさの異なるカールとを作り出すことができる。
【０００９】
ここで、上記第１のクリップ片と上記第２のクリップ片とを面ファスナで被覆することが好ましい。この場合には、上記第１のクリップ片と上記第２のクリップ片とによって挟み込まれた頭髪を面ファスナに設けられた微小な突起に引っ掛けることができるため、頭髪をヘアカーラにしっかりと係止することができる。
【００１０】
また、上記第１のクリップ片を、上記第１のパイプ状部材の内周面のうち上記第２のパイプ状部材に近い側の内周面に接続し、上記第２のクリップ片を、上記第２のパイプ状部材の内周面のうち上記第１のパイプ状部材に近い側の内周面に接続することが好ましい。このような構成により、上記付勢部材の付勢によって上記第１のパイプ状部材及び上記第２のパイプ状部材が押し潰されたように変形してしまうことを防止することができる。
【００１１】
さらに、上記第１のパイプ状部材と上記第２のパイプ状部材のうち少なくとも一方が、その長手方向における全長に渡って他方のパイプ状部材と実質的に接触するようにヘアカーラを構成することが好ましい。また、上記第１のパイプ状部材の長手方向の長さと上記第２のパイプ状部材の長手方向の長さとが実質的に同一であることがさらに好ましい。この場合には、上記第１のパイプ状部材と上記第２のパイプ状部材とが、それぞれ、その全長に渡って互いに接触することになるため、両パイプ状部材の間に広い接触部が形成される。その結果、頭髪を広い範囲で挟み込むことができる。
【００１２】
さらに、上記第１のパイプ状部材の長手方向に直交する面での断面が長軸と該長軸に直交する短軸とによって規定される楕円であり、上記第２のパイプ状部材の長手方向に直交する面での断面が長軸と該長軸に直交する短軸とによって規定される楕円であることが好ましい。また、上記楕円の外形が、それぞれ実質的に同一であることが好ましい。さらに、上記第１のパイプ状部材の上記短軸の長さと上記第２のパイプ状部材の上記短軸の長さとの和と、上記長軸の長さとが略同一であることが好ましい。さらに、上記第１のパイプ状部材と上記第２のパイプ状部材とが実質的に接触した状態で、上記第１のパイプ状部材の上記長軸と上記第２のパイプ状部材の上記長軸とが互いに平行であることが好ましい。加えて、上記第１のパイプ状部材の上記短軸と上記第２のパイプ状部材の上記短軸とが、実質的に同一線上に位置していることが好ましい。このような構成により、上記第１のパイプ状部材の上記短軸と上記第２のパイプ状部材の上記短軸とが交わる交点を中心とし、上記短軸の長さを半径とする略円形の軌跡を描くように頭髪を巻きつけることができる。その結果、１つのヘアカーラで、１つのパイプ状部材に巻きつくことによって楕円の軌跡を描いて形成される曲がりの大きいカールと、２つのパイプ状部材に巻きつくことによって略円形の軌跡を描いて形成される曲がりの滑らかなカールとを作り出すことができる。
【考案の効果】
【００１３】
本考案によれば、付勢部材によって互いに近づく方向に付勢される２つのパイプ状部材を有しているため、頭髪を両パイプ状部材間に挟み込んで巻き上げていくことができる。したがって、１つのヘアカーラで、曲がりの異なるカールを形成することができるため、複数のヘアカーラを併用することが困難な前髪においても、巻き具合が異なるカールを形成することができる。また、２つのパイプ状部材の間に頭髪を挟み込むことができるため、頭髪を確実に巻きつけることができる。
【図面の簡単な説明】
【００１４】
【図１】本考案の一実施形態におけるヘアカーラを示す斜視図である。
【図２】図１のヘアカーラの正面図である。
【図３】図２のヘアカーラのＡ−Ａ線断面図である。
【図４】図１のヘアカーラの使用状態を模式的に示す断面図である。
【考案を実施するための形態】
【００１５】
以下、本考案に係るヘアカーラの実施形態について図１から図５を参照して詳細に説明する。なお、図１から図５において、同一又は相当する構成要素には、同一の符号を付して重複した説明を省略する。また、図面においては、理解しやすいようにサイズが誇張されている場合がある。
【００１６】
図１は本考案の一実施形態におけるヘアカーラ１を示す斜視図である。図２は図１に示すヘアカーラ１の正面図、図３は図２に示すヘアカーラ１のＡ−Ａ線断面図である。図１から図３に示すように、本実施形態におけるヘアカーラ１は、板状の部材からなる第１のクリップ片１０と、板状の部材からなる第２のクリップ片１１と、第１のクリップ片１０の長手方向に向かって延びる第１のパイプ状部材１５と、第２のクリップ片１１の長手方向に向かって延びる第２のパイプ状部材１６とを有する。なお、第１のクリップ片１０及び第２のクリップ片１１の材料として金属などを用いてもよい。
【００１７】
図２及び図３に示すように、第１のパイプ状部材１５及び第２のパイプ状部材１６は、それぞれ楕円柱により構成されている。第１のパイプ状部材１５の長手方向に直交する面での断面（以下、単に、「第１のパイプ状部材１５の切断面」とする。）は、長軸と該長軸に直交する短軸とによって規定される楕円であり、第２のパイプ状部材１６の長手方向に直交する面での断面（以下、単に、「第２のパイプ状部材１６の切断面」とする。）は、長軸と該長軸に直交する短軸とによって規定される楕円である。なお、第１のパイプ状部材１５及び第２のパイプ状部材１６の材料として、軽量化等の観点からポリプロピレン（ＰＰ）を用いてもよい。
【００１８】
図２に示すように、第１のクリップ片１０は、第１のパイプ状部材１５と平行に延びる接続部１０Ａにおいて第１のパイプ状部材１５に接続される。同様に、第２のクリップ片１１は、第２のパイプ状部材１６と平行に延びる接続部１１Ａにおいて第２のパイプ状部材１６に接続される。また、図１及び図２に示すように、第１のクリップ片１０と第２のクリップ片１１とは、シャフト１２により互いに連結されており、このシャフト１２の周りには、第１のクリップ片１０の接続部１０Ａ（第１のパイプ状部材１５）と第２のクリップ片１１の接続部１１Ａ（第２のパイプ状部材１６）とを互いに近づける方向に付勢する付勢部材としてのスプリング（ねじりコイルバネ）１８が設けられている。このような構成により、第１のクリップ片１０と第２のクリップ片１１とを操作することによって、第１のパイプ状部材１５と第２のパイプ状部材１６とを開閉することができるようになっている。
【００１９】
ここで、図１は、第１のパイプ状部材１５と第２のパイプ状部材１６とが離間している状態（開状態）を示し、図２及び図３は、第１のパイプ状部材１５と第２のパイプ状部材１６とが互いに接触している状態（閉状態）を示している。
【００２０】
第１のクリップ片１０と第２のクリップ片１１に外力が加わっていない状態では、スプリング１８によって第１のパイプ状部材１５と第２のパイプ状部材１６とが互いに近づく方向に付勢されるため、第１のパイプ状部材１５と第２のパイプ状部材１６とは接触部１７において実質的に接触する。その結果、図２及び図３に示すような閉状態となる。一方、第１のクリップ片１０と第２のクリップ片１１とを操作すると、第１のクリップ片１０と第２のクリップ片１１とがシャフト１２の軸周りにそれぞれ回動することにより、第１のパイプ状部材１５と第２のパイプ状部材１６とが互いに離間する。その結果、図１に示すような開状態となる。
【００２１】
このように、第１のクリップ片１０と第２のクリップ片１１とを操作することによって、第１のパイプ状部材１５と第２のパイプ状部材１６とを開閉することができるため、図３に示すように、第１のパイプ状部材１５と第２のパイプ状部材１６との接触部１７において、頭髪を挟み込むことができる。
【００２２】
ところで、仮に、第１のクリップ片１０の接続部１０Ａを、第１のパイプ状部材１５の内周面のうち第２のパイプ状部材１６に遠い側の内周面１５Ａに接続し、第２のクリップ片１１の接続部１１Ａを、第２のパイプ状部材１６の内周面のうち第１のパイプ状部材１５に遠い側の内周面１６Ａに接続したとすると、スプリング１８の付勢によって第１のパイプ状部材１５及び第２のパイプ状部材１６が押し潰されたように変形してしまい、頭髪を適切に挟み込むことができない。
【００２３】
したがって、本実施形態では、図２及び図３に示すように、第１のクリップ片１０の接続部１０Ａを、第１のパイプ状部材１５の内周面のうち第２のパイプ状部材１６に近い側の内周面に接続し、第２のクリップ片１１の接続部１１Ａを、第２のパイプ状部材１６の内周面のうち第１のパイプ状部材１５に近い側の内周面に接続している。このような構成により、スプリング１８の付勢によって第１のパイプ状部材１５及び第２のパイプ状部材１６が押し潰されたように変形してしまうことを防止することができる。
【００２４】
また、図３に示すように、第１のパイプ状部材１５及び第２のパイプ状部材１６を面ファスナ２０によって被覆することが好ましい。このような構成によって、第１のパイプ状部材１５と第２のパイプ状部材１６とによって挟み込まれた頭髪を面ファスナ２０に設けられた複数の微小な突起２０Ａに引っ掛けることができるため、頭髪をヘアカーラ１にしっかりと係止することができる。なお、図３以外の図面では、面ファスナ２０が省略して記載されている。
【００２５】
ところで、ヘアカーラ１を例えば前髪に用いる場合、頭髪を第１のパイプ状部材１５と第２のパイプ状部材との間に挟み込んで、頭髪をヘアカーラ１に係止した上で、ヘアカーラ１をその長手方向の軸周りに回転させながら、頭髪の毛先から根元の方向に向かって頭髪を巻き上げていく。図４は、このように頭髪をヘアカーラ１によって巻き上げていく状態を模式的に示すものである（面ファスナ２０等は省略して図示している）。
【００２６】
図４に示すように、ヘアカーラ１を上記のように使用した場合、巻き始めの段階では、頭髪Ｔが、例えば第１のパイプ状部材１５の曲がりが大きい曲線Ｒに沿って巻きつき、巻き具合の強いカール３１が形成される（第１ステップ）。その後、図４に示すように、頭髪Ｔが、第１のパイプ状部材１５と第２のパイプ状部材１６に跨って巻きつくことによって、巻き具合の弱いカール３２が形成される（第２ステップ）。以後、頭髪Ｔの巻き上げを続けると、第２ステップが繰り返され、その都度カール３２が形成されていく。その結果、最終的に巻き上げを終えると、頭髪Ｔには、１つのカール３１と、カール３１とは曲がりの大きさの異なる複数のカール３２とが形成されることとなる。
【００２７】
このように、本実施形態によれば、１つのヘアカーラによって巻き具合の異なる複数のカール（例えば、カール３１，３２）を頭髪Ｔに形成することができる。したがって、特にヘアカーラを使用できる部分が限られ、複数のヘアカーラを併用することが難しい前髪においても、巻き具合が異なるカールを形成することができる。また、頭髪を２つのパイプ状部材（例えば、第１のパイプ状部材１５、第２のパイプ状部材１６）で挟み込み、面ファスナ２０によって頭髪を係止することができるため、頭髪Ｔを確実に巻きつけることができる。
【００２８】
ところで、再び図２を参照すると、本実施形態では、第１のパイプ状部材１５のその長手方向における長さと第２のパイプ状部材のその長手方向における長さとは実質的に同一となるように構成されている。また、本実施形態では、閉状態において、第１のパイプ状部材１５の長手方向における両端面と第２のパイプ状部材の長手方向における両端面とが、それぞれ実質的に同一の平面上に位置するように構成されている。このような構成により、図２に示すように、閉状態において、第１のパイプ状部材１５と第２のパイプ状部材１６とが長手方向の全長に渡って互いに接触することができる。したがって、本実施形態によれば、第１のパイプ状部材１５と第２のパイプ状部材１６との間に広い接触部１７が形成され、頭髪を広い範囲で挟み込むことができる（図２及び図３参照）。
【００２９】
ここで、さらに図３に示すように、ヘアカーラ１は、閉状態において、第１のパイプ状部材１５の切断面の長軸と第２のパイプ状部材１６の切断面の長軸とが互いに平行となるように構成されることが好ましい。また、ヘアカーラ１は、閉状態において、第１のパイプ状部材１５の切断面の短軸と第２のパイプ状部材１６の切断面の短軸とが、実質的に同一線上に位置するように構成されることが好ましい。
【００３０】
また、第１のパイプ状部材１５の切断面の外形と第２のパイプ状部材１６の切断面の外形とが実質的に同一になるように構成されることが好ましい。さらに、図４に示すように、第１のパイプ状部材１５の切断面の短軸の長さＬSと第２のパイプ状部材１６の切断面の短軸の長さＬSとの和（２ＬS）と、第１のパイプ状部材１５及び第２のパイプ状部材１６の切断面の長軸の長さＬLとが、略同一になるように構成されることが好ましい（例えば、長軸の長さＬLを２０ｍｍに、短軸の長さＬSをそれぞれ１０ｍｍにするように構成することができる。）。このような構成によって、ヘアカーラ１を上記のように巻き上げた場合、ステップ２において、頭髪Ｔは、第１のパイプ状部材１５の上記短軸と第２のパイプ状部材１６の上記短軸とが交わる交点Ｃを中心とする半径ＬSの略円形の軌跡を描くように巻きつけられる。したがって、曲がりが滑らかなカール３２を、頭髪Ｔに形成することができる。
【００３１】
このように、本実施形態によれば、１つのヘアカーラ１によって、巻き具合の強い単一のカール３１と、巻き具合の弱いカール３２とを頭髪Ｔに形成することができるため、複数のヘアカーラを併用することが困難な前髪においても、巻き具合に富んだ華やかなカールを形成することができる。
【００３２】
これまで本考案の好ましい実施形態について説明したが、本考案は上述の実施形態に限定されず、その技術的思想の範囲内において種々異なる形態にて実施されてよいことは言うまでもない。例えば、パイプ状部材の形状や大きさを適宜変更することも可能である。また、面ファスナ２０は、第１のパイプ状部材１５や第２のパイプ状部材１６に対して着脱自在となるように構成してもよい。
【符号の説明】
【００３３】
１    ヘアカーラ
１０    第１のクリップ片
１０Ａ  接続部
１１    第２のクリップ片
１１Ａ  接続部
１２    シャフト
１５    第１のパイプ状部材
１６    第２のパイプ状部材
１７    接触部
１８    スプリング
２０    面ファスナ
２０Ａ  突起
３１，３２    カール
【図１】
0003195557.tif 000003
【図２】
0003195557.tif 000004
【図３】
0003195557.tif 000005
【図４】
0003195557.tif 000006
【手続補正書】
【提出日】平成26年11月19日(2014.11.19)
【手続補正１】
【補正対象書類名】実用新案登録請求の範囲
【補正対象項目名】請求項７
【補正方法】変更
【補正の内容】
【請求項７】
前記第１のパイプ状部材と前記第２のパイプ状部材とが実質的に接触している状態で、
前記第１のパイプ状部材の前記長軸と前記第２のパイプ状部材の前記長軸とが互いに平行であり、
前記第１のパイプ状部材の前記短軸と前記第２のパイプ状部材の前記短軸とが実質的に同一線上に位置している、
ことを特徴とする請求項６に記載のヘアカーラ。
【手続補正２】
【補正対象書類名】実用新案登録請求の範囲
【補正対象項目名】請求項９
【補正方法】変更
【補正の内容】
【請求項９】
前記第１のパイプ状部材の長手方向に直交する面での前記第１のパイプ状部材の断面の外形と、前記第２のパイプ状部材の長手方向に直交する面での前記第２のパイプ状部材の断面の外形とが、実質的に同一であることを特徴とする請求項１から８のいずれか一項に記載のヘアカーラ。